(57)【要約】【課題】  シートサイズにかかわらず、生産性を低下させることなく、シートをオフセットさせることのできるシート処理装置及び画像形成装置を提供する。【解決手段】  処理されたシートをオフセットさせる際、第１のシート搬送手段３，４により、処理されたシートを第２のシート搬送手段５に向けて搬送すると共に、シートのオフセットが終了した後に、処理されたシートが第２のシート搬送手段５に到達するようシートサイズに応じて第１のシート搬送手段３，４の駆動を制御する。【選択図】      図２
2007076775.tif 000002
【特許請求の範囲】
【請求項１】
シートを処理するシート処理装置において、
シートを搬送すると共に、シートを挟持した状態でシート搬送方向と直交する幅方向に移動可能な第１のシート搬送手段と、
シートを処理位置に位置させると共に処理後のシートをオフセットさせるようシートを挟持した状態の前記第１のシート搬送手段を幅方向に移動させるシート移動手段と、
前記第１のシート搬送手段の下流に設けられ、前記処理後のシートを搬送する第２のシート搬送手段と、
シートサイズを認識するためのシートサイズ認識手段と、を備え、
前記シート移動手段により、処理されたシートをオフセットさせる際、前記第１のシート搬送手段により、処理されたシートを前記第２のシート搬送手段に向けて搬送すると共に、シートのオフセットが終了した後に、前記第２のシート搬送手段に処理されたシートが到達するよう前記シートサイズ認識手段からのシートサイズ情報に応じて前記第１のシート搬送手段の駆動を制御することを特徴とするシート処理装置。
【請求項２】
前記シートのオフセットが終了した後に、前記第２のシート搬送手段に処理されたシートが到達するよう前記シートサイズ情報に応じて前記第１のシート搬送手段の、処理されたシートを搬送するシート搬送速度を制御することを特徴する請求項１記載のシート処理装置。
【請求項３】
前記第１のシート搬送手段の、シート搬送方向の長さが所定の長さよりも長いサイズのシートを搬送する場合のシート搬送速度を、シート搬送方向の長さが所定の長さよりも短いサイズのシートを搬送する場合のシート搬送速度よりも遅くすることを特徴する請求項２記載のシート処理装置。
【請求項４】
前記シートのオフセットが終了した後に、前記第２のシート搬送手段に処理されたシートが到達するよう前記シートサイズ情報に応じて前記第１のシート搬送手段の、処理されたシートの搬送を開始するタイミングを制御することを特徴する請求項１乃至３の何れか１項に記載のシート処理装置。
【請求項５】
前記第１のシート搬送手段の、シート搬送方向の長さが所定の長さよりも長いサイズのシートの搬送を開始するタイミングを、シート搬送方向の長さが所定の長さよりも短いサイズのシートの搬送を開始するタイミングよりも遅くすることを特徴する請求項４記載のシート処理装置。
【請求項６】
前記処理は、穿孔手段によりシートにパンチ穴を穿設する穿孔処理であり、
前記シート移動手段によりパンチ穴穿設後のシートをオフセットさせる際、前記第１のシート搬送手段によりパンチ穴穿設後のシートを前記第２のシート搬送手段に向けて搬送すると共に、シートのオフセットが終了した後に、前記第２のシート搬送手段にパンチ穴穿設後のシートが到達するよう前記シートサイズ認識手段からのシートサイズ情報に応じて前記第１のシート搬送手段の駆動を制御することを特徴とする請求項１乃至５のいずれか１項に記載のシート処理装置。
【請求項７】
前記穿孔手段はシート搬送路の幅方向の中心に固定されていることを特徴とする請求項６記載のシート処理装置。
【請求項８】
画像形成部と、前記画像形成部により画像が形成されたシートを処理する前記請求項１乃至７の何れか１項に記載のシート処理装置とを備えたことを特徴とする画像形成装置。
【発明の詳細な説明】
【技術分野】
【０００１】
本発明は、シート処理装置及び画像形成装置に関し、特に画像が形成されたシートに対してパンチ穴穿設等の処理を施すものに関する。
【背景技術】
【０００２】
従来、例えば複写機、プリンタ、ファクシミリ等の画像形成装置においては、画像形成した後のシートに対して、例えばパンチ穴の穿設処理を行う場合があり、このため穿孔手段を備えたシート処理装置を取り付けるようにしている。
【０００３】
ここで、このようなシート処理装置としては、画像形成されたシートに対し、搬送中に１枚ずつ穿孔するものがある。そして、このような装置の場合、シート搬送方向に対して直交する方向である幅方向のズレ（以下、横レジズレという）を揃えるため、まず１枚ごとにシートの横レジズレを検知するようにしている。そして、その検知結果に基づいて穿孔手段をシートの略中央部まで移動させることで穴の位置を合わせるようにしていた（例えば、特許文献１参照。）。
【０００４】
具体的には、穿孔ユニットにシートのシート搬送方向と平行する側端を検知するための透過型光センサ等の検知手段を設けると共に、シートを搬送しながら穿孔ユニットを幅方向に移動させる。そして、搬送されるシートの側端を透過型光センサで検知した後、穿孔ユニットを停止させることで、横レジズレの補正を行っていた。
【０００５】
【特許文献１】特開平１０−１９４５５７号公報
【発明の開示】
【発明が解決しようとする課題】
【０００６】
しかし、このように横レジ補正により横レジズレを補正するようにした場合、穿孔ユニットに対する横レジズレは補正することができるが、搬送パスに対する横レジがずれたままであるため、穿孔ユニットの下流側にあるステイプル等での処理は改善されない。
【０００７】
そこで、従来のシート処理装置においては、パンチ穿孔手段を固定し、搬送ローラを横移動させることで、シートをパンチ穿孔手段のある搬送中心へ合わせることで、下流側の処理を有利にすることができるようにしている。
【０００８】
しかしながら、このようにシートの搬送位置をパンチ穿孔手段にあわせた場合、シートを排紙トレイに出した後、ジョブの切れ目を示すための排紙オフセットをパンチ穿孔後に行う必要がある。
【０００９】
また、シートを横移動させることができる搬送ローラの下流にシートを横移動できない搬送ローラがあった場合、パンチ穿孔後のシートの横移動をシート先端が下流にある横移動できない搬送ローラに到達するまでに終了させなければならない。
【００１０】
ここで、シート後端にパンチ孔を穿設する場合、シートの後端位置が一定になるため、大きいサイズになるほどシートの横移動に対する条件が厳しくなる。このため、下流側へシートを搬送する時の搬送速度を落としたり、パンチ穿孔後の起動タイミングを遅らせたりする必要がある。
【００１１】
しかしながら、大きいサイズに合わせて全てのサイズの搬送速度や起動タイミングを遅くらせるようにすると、サイズの小さいシートの場合には、処理効率が低下し、この結果、画像形成装置の生産性を低下させてしまうことになる。
【００１２】
そこで、本発明は、このような現状に鑑みて成されたものであり、シートサイズにかかわらず、生産性を低下させることなく、シートをオフセットさせることのできるシート処理装置及び画像形成装置を提供することを目的とするものである。
【課題を解決するための手段】
【００１３】
本発明は、シートを処理するシート処理装置において、シートを搬送すると共に、シートを挟持した状態でシート搬送方向と直交する幅方向に移動可能な第１のシート搬送手段と、シートを処理位置に位置させると共に処理後のシートをオフセットさせるようシートを挟持した状態の前記第１のシート搬送手段を幅方向に移動させるシート移動手段と、前記第１のシート搬送手段の下流に設けられ、前記処理後のシートを搬送する第２のシート搬送手段と、シートサイズを認識するためのシートサイズ認識手段と、を備え、前記シート移動手段により、処理されたシートをオフセットさせる際、前記第１のシート搬送手段により、処理されたシートを前記第２のシート搬送手段に向けて搬送すると共に、シートのオフセットが終了した後に、前記第２のシート搬送手段に処理されたシートが到達するよう前記シートサイズ認識手段からのシートサイズ情報に応じて前記第１のシート搬送手段の駆動を制御することを特徴とするものである。
【発明の効果】
【００１４】
本発明にように、処理されたシートをオフセットさせる際、第１のシート搬送手段により、処理されたシートを第２のシート搬送手段に向けて搬送すると共に、シートのオフセットが終了した後に、処理されたシートが第２のシート搬送手段に到達するようシートサイズに応じて第１のシート搬送手段の駆動を制御することにより、シートサイズにかかわらず、生産性を低下させることなく、シートをオフセットさせることができる。
【発明を実施するための最良の形態】
【００１５】
以下、本発明を実施するための最良の形態について図面を用いて詳細に説明する。
【００１６】
図１は、本発明の第１の実施の形態に係るシート処理装置を備えた画像形成装置の一例である複写機の概略構成を示す図である。
【００１７】
図１において、１００は複写機であり、この複写機１００の本体３００には原稿載置台としてのプラテンガラス９０６、光源９０７、レンズ系９０８、給紙部９０９、画像形成部９０２等が備えられている。また本体３００の上部には、原稿Ｄをプラテンガラス９０６に自動的に給送する原稿自動給送装置５００が設けられている。更に、この本体３００にはシート処理装置１が取り付けられている。
【００１８】
ここで、給紙部９０９は、記録用のシートＰを収納して本体１に着脱自在なカセット９１０，９１１及びペディスタル９１２に配置されたデッキ９１３を有している。また、画像形成手段として例えば画像形成部９０２は、円筒状の感光ドラム９１４、その周囲に配設された現像器９１５、転写用帯電器９１６、分離帯電器９１７、クリーナ９１８、一次帯電器９１９等を備えている。なお、画像形成部９０２の下流側には、搬送装置９２０、定着装置９０４、排紙ローラ対９０５等が配設されている。
【００１９】
次に、この複写機１００の画像形成動作について説明する。
【００２０】
本体３００に設けられている制御装置９５０から給紙信号が出力されると、カセット９１０，９１１またはデッキ９１３からシートＰが給送される。一方、プラテンガラス９０６に載置されている原稿Ｄに、光源９０７から当てられて反射した光は、レンズ系９０８を介して感光ドラム９１４に照射される。
【００２１】
ここで、感光ドラム９１４は、予め一次帯電器９１９により帯電されており、光が照射されることによって静電潜像が形成され、次いで現像器９１５によって静電潜像を現像することによりトナー像が形成される。また、給紙部９０９から給送されたシートＰは、レジストローラ９０１で斜行が補正され、さらにタイミングが合わされて画像形成部９０２へ送られる。
【００２２】
そして、この画像形成部９０２では感光ドラム９１４のトナー像が送られてきたシートＰに転写用帯電器９１６によって転写され、この後、トナー像が転写されたシートＰは、分離帯電器９１７によって転写用電器９１６と逆極性に帯電されて感光ドラム９１４から分離される。
【００２３】
なお、このようにして分離されたシートＰは、搬送装置９２０により定着装置９０４に搬送され、定着装置９０４によりシートＰに転写画像が永久定着される。さらに、このようにして画像が形成された後、画像面が上側になるストレート排紙モードの場合は、シートＰは排紙ローラ対９０５により本体３００からシート処理装置１に排出される。
【００２４】
また、表裏反転して画像面が下側になる反転排紙モードの場合は、画像が定着されたシートＰは、シート反転パス９３０に搬送されると共に、フラッパ９３１，９３２の切り換え動作により表裏が反転し、画像面が下側となって装置本体３００から排出される。
【００２５】
ところで、図２はこのシート処理装置１の概略構成を示す図である。そして、図２において、２はシート処理装置１の入口ローラ対、３１はシート検知センサ、５０はシート搬送通路Ｒに設けられ、搬送されてきたシートの後端付近に穴あけをするパンチユニットである。ここで、このパンチユニット５０は、シート搬送方向と直交する幅方向に移動可能な第１のシート搬送手段である搬送ローラ３，４、シートの側端面を検知する横レジ検知センサ３２及びシートにパンチ孔を穿設する後述する図４に示す穿孔手段を備えている。
【００２６】
また、５はパンチユニット５０（の搬送ローラ４）の下流に設けられ、押下コロ１２〜１４によりシートを押圧して搬送する第２のシート搬送手段であるバッファローラ、１１はノンソートパス２１とソートパス２２を切り換える切り換えフラッパである。１０はソートパス２２とシートを一時貯え滞留させるためのバッファパス２３の切り換えを行なう切り換えフラッパ、６は搬送ローラ、１３０はシートを一時的に集積し、整合、ステイプルを行うための中間トレイ（以下処理トレイ）である。
【００２７】
７は処理トレイ１３０上にシートを排出するための排出ローラ、１５０は揺動ガイド、１８０ｂは揺動ガイド１５０に支持された束排出上ローラである。１８０ａは束排出下ローラであり、この束排出下ローラ１８０ａは、揺動ガイド１５０が閉位置にきたとき、束排出上ローラ１８０ｂと協働して処理トレイ１３０上のシートを束搬送してスタックトレイ２００上に束排出するものである。そして、これら束排出下ローラ１８０ａ、束排出上ローラ１８０ｂにより、中間トレイ１３０上のシート束をスタックトレイ２００上に排出させるシート束排出ローラ対が構成されている。
【００２８】
図３は、複写機１００とシート処理装置１の制御ブロック図である。
【００２９】
ここで、制御装置９５０は、ＣＰＵ回路部３０５を有し、ＣＰＵ回路部３０５は、ＣＰＵ（図示せず）、ＲＯＭ３０６、ＲＡＭ３０７を内蔵し、ＲＯＭ３０６に格納されている制御プログラムにより各ブロック３０１、３０２、３０８、５０１を総括的に制御する。
【００３０】
ＲＡＭ３０７は、制御データを一時的に保持し、また制御に伴う演算処理の作業領域として用いられるものであり、原稿給送装置制御部３０１は、自動原稿給送装置５００をＣＰＵ回路部３０５からの指示に基づき駆動制御するものである。イメージリーダ制御部３０２は、上述の光源９０７、レンズ系９０８などに対する駆動制御を行うものである。
【００３１】
操作部３０８は、画像形成に関する各種機能を設定する複数のキー、設定状態を示す情報を表示するための表示部などを有し、各キーの操作に対応するキー信号をＣＰＵ回路部３０５に出力する。また、ＣＰＵ回路部３０５からの信号に基づき対応する情報を表示部に表示する。さらに、本実施の形態においては、シートサイズ認識手段として、シートサイズ情報を入力するようにしている。
【００３２】
シート処理装置制御部５０１はシート処理装置１に搭載され、不図示の通信用ＩＣ（ＩＰＣ）を介してＣＰＵ回路部３０５と情報のやり取りを行うことによってシート処理装置全体の駆動制御を行うものである。
【００３３】
ここで、このシート処理装置制御部５０１はＣＰＵ４０１、ＲＯＭ４０２、ＲＡＭ４０３を有している。そして、ＲＯＭ３０６に格納されている制御プログラムにより搬送モータＭ１、搬送ローラ移動モータＭ２、横レジ検知移動モータＭ３、パンチモータＭ４等の各種アクチュエータやシート検知センサ３１、横レジ検知センサ３２等の各種センサを制御する。ＲＡＭ４０３は、制御データを一時的に保持し、また制御に伴う演算処理の作業領域として用いられ、横レジずれ方向、横レジずれ量等の値を一時的に保持する。
【００３４】
ところで、シート処理装置制御部５０１には、ＣＰＵ回路部３０５を介して操作部３０８からのシートサイズ情報が入力されるようになっている。そして、このシート処理装置制御部５０１は、操作部３０８からのシートサイズ情報に基づき搬送モータＭ１の駆動を制御してシート搬送速度を制御するようにしている。
【００３５】
図４は、パンチユニット５０の構成を示す図であり、幅方向に移動可能な搬送ローラ４は幅が広いギア４０を介して、搬送モータＭ１と駆動が連結されており、搬送ローラ４を幅方向に移動した場合も駆動が伝えられる構成になっている。また、この搬送ローラ４は搬送ローラ３とベルト４１を介して連結されており、これにより搬送ローラ３と搬送ローラ４とは同期して回転する。
【００３６】
なお、搬送ローラ３及び搬送ローラ４は、不図示の軸受けを介して搬送ガイド４２に備え付けられている。ここで、搬送ガイド４２にはラックギア４２ａが備え付けられており、搬送ガイド４２と共にシート移動手段を構成する搬送ローラ移動モータＭ２を回転させると、搬送ガイド４２にはラックギア４２ａを介して駆動が伝えられ、搬送ガイド４２は幅方向に移動する。
【００３７】
これにより、搬送ローラ３，４がシートを挟持した状態のとき、搬送ローラ移動モータＭ２を駆動すると、シートを搬送ローラ３，４と共に幅方向へ移動させることができる。なお、ラックギア４２ａの先端を不図示のセンサにより検知することにより、搬送ガイド４２及び搬送ローラ３，４の幅方向の位置を把握することができる。
【００３８】
一方、シートの側端位置を検知する横レジ検知センサ３２は、センサホルダ３３の一端部に取り付けられており、このセンサホルダ３３は他端部に備え付けられたラックギア３４を介して、横レジ検知移動モータＭ３と連結されている。これにより、横レジ検知移動モータＭ３を回転させると、センサホルダ３３を介して横レジ検知センサ３２を幅方向へ移動させることができる。なお、ラックギア３４の先端を不図示のセンサにより検知することにより、横レジ検知センサ３２の幅方向の位置を把握することができる。
【００３９】
ところで、図４において、５１は、シートの後端にパンチ穴を穿設する穿孔手段であり、この穿孔手段５１は、パンチモータＭ４により駆動されると共に、シート搬送通路Ｒの幅方向中央部に位置している。
【００４０】
次に、このように構成されたパンチユニット５０によるパンチ処理について図５〜図７に示すフローチャートを用いて説明する。
【００４１】
なお、この制御フローは制御装置９５０（ＣＰＵ回路部３０５）の指示により、シート処理装置１に設けられたシート処理装置制御部５０１が実行する処理であり、コピースタート後、シート１枚毎に対して実行される。なお、この制御フローは、シート処理装置制御部５０１が単独で実行するようにしても良い。
【００４２】
まず、図５に示すように、横レジ検知センサ３２を横レジずれがない時の搬送されてくるシートの、シートサイズに応じた側端面に対応した待機位置へ移動させる（Ｓ１００）。ここで、シートが通過するまでは、横レジ検知センサ３２はＯＮとなっている。
【００４３】
次に、シートが搬送され、このシートを検知してシート検知センサ３１がＯＦＦするか否かを判断する（Ｓ１０１）。シートの先端がシート検知センサ３１を通過し、シート検知センサ３１がＯＦＦした場合は（Ｓ１０１のＹ）、この後、引き続きシートを距離Ａ［ｍｍ］だけ搬送する。これにより、シートは、横レジ補正開始位置となる搬送ローラ３，４に挟持される位置まで搬送される。
【００４４】
次に、シートを距離Ａ［ｍｍ］だけ搬送すると（１０２のＹ）、図６に示す横レジ補正処理を行う。この横レジ補正処理においては、まず、横レジ検知センサ３２がＯＮしているか否かを判断する（Ｓ６０１）。そして、横レジ検知センサ３２がＯＮしていると判断した場合は（Ｓ６０１のＹ）、搬送ローラ移動モータＭ２を駆動し、搬送ガイド４２を速度βで図４に示す矢印Ａ方向に移動させる（Ｓ６０２）。
【００４５】
一方、横レジ検知センサ３２がＯＦＦしていると判断した場合は（Ｓ６０１のＮ）、搬送ローラ移動モータＭ２を駆動し、搬送ガイド４２を速度βで図４に示す矢印Ｂ方向に移動させる（Ｓ６０３）。なお、横レジ補正では横レジ検知センサ３２がシートの側端を検知するまで、搬送ローラ移動モータＭ２の移動距離がわからないため、加減速する移動距離があるか否かの判断ができない。そのため、加速しない移動速度βに設定する。
【００４６】
次に、横レジ検知センサ３２がＯＦＦしているか否かを判断し（Ｓ６０４）、横レジ検知センサ３２がＯＦＦしたと判断した場合は（Ｓ６０４のＹ）、搬送ローラ移動モータＭ２を停止する（Ｓ６０５）。これにより、横レジ補正処理が終了する。
【００４７】
そして、このような横レジ補正処理が行われた後、図５に示すようにシートを距離Ｂ［ｍｍ］だけ搬送する。これにより、シートの後端がシート検知センサ３１を通過してシート検知センサ３１がＯＮになり、この後、シートの後端が穿孔手段５１を通過する。
【００４８】
次に、このようにＢ［ｍｍ］の搬送が終了すると、搬送モータＭ１を停止させ（Ｓ１０５）、この後、図７に示すように搬送モータＭ１の逆転を開始する（Ｓ１０６）。そして、逆転開始位置から穿孔手段５１までの距離Ｃ［ｍｍ］の搬送が終了したか否かを判断する（Ｓ１０７）。ここで、搬送モータＭ１を逆転させるのは、シートを不図示のストッパに突き当て斜行を矯正するためである。
【００４９】
次に、Ｃ［ｍｍ］の搬送が終了したと判断された場合は（Ｓ１０７）、搬送モータＭ１を停止させ（Ｓ１０８）、穿孔手段５１によりパンチ穿孔動作を行う（Ｓ１０９）。そして、このようなパンチ穿孔動作の終了後、操作部３０８からのシートサイズ情報に基づきシートの搬送方向長さが所定の長さである３６４ｍｍより大きいか否かを判断する（Ｓ１１０）。
【００５０】
ここで、シートが、シート搬送方向長さが３６４ｍｍより長いサイズのシートの場合は（Ｓ１１０のＹ）、搬送モータＭ１を速度Ｘで起動する（Ｓ１１１）。また、シート搬送方向長さが３６４ｍｍ以下のサイズのシートの場合は（Ｓ１１０のＮ）、搬送モータＭ１を速度Ｘより速い速度Ｙで起動する（Ｓ１１２）。
【００５１】
そして、このようにシート搬送方向長さが３６４ｍｍより長いサイズのシートの場合、搬送モータＭ１を遅い速度で駆動することにより、シート搬送速度を、シート搬送方向長さが３６４ｍｍ以下のサイズのシートに比べて遅くすることができる。これにより、バッファローラ５にパンチ穴穿設後のシートを到達させる時間を遅らせることができ、この結果、シートのオフセットが終了した後に、バッファローラ５にパンチ穴穿設後のシートを到達させることができる。なお、このような搬送モータＭ１の起動後、パンチ処理を終了する。
【００５２】
このように、パンチ穴穿設後のシートをオフセットさせる際、搬送ローラ３，４によりパンチ穴穿設後のシートをバッファローラ５に向けて搬送すると共に、シートのオフセットが終了した後に、バッファローラ５にパンチ穴穿設後のシートが到達するようシートサイズに応じて搬送ローラ３，４によるシート搬送速度を制御することにより、シートサイズにかかわらず、生産性を低下させることなく、シートをオフセットさせることができる。
【００５３】
なお、本実施の形態では、３６４ｍｍを基準にシート搬送速度を切換えたが、バッファローラ５にシート先端が到達するまでにシートの横移動（オフセット）が終了することが可能であれば、生産性を考慮して装置に適した値に設定するようにしても良い。
【００５４】
次に、本発明の第２の実施の形態について説明する。
【００５５】
本実施の形態においては、パンチ穿孔後の起動タイミングをシートサイズに応じて変えて、シートの横移動と生産性の維持を実現するようにしている。即ち、本実施の形態においては、搬送ローラ３，４の駆動の制御として、パンチ穿孔後のシートの搬送開始タイミングを制御するようにしている。
【００５６】
次に、本実施の形態におけるパンチ処理について図８及び図９に示すフローチャートを用いて説明する。
【００５７】
まず、図８に示すように、横レジ検知センサ３２を横レジずれがない時の搬送されてくるシートの、シートサイズに応じた側端面に対応した待機位置へ移動させる（Ｓ２００）。ここで、シートが通過するまでは、横レジ検知センサ３２はＯＮとなっている。
【００５８】
次に、シートが搬送され、このシートを検知してシート検知センサ３１がＯＦＦするか否かを判断する（Ｓ２０１）。シートの先端がシート検知センサ３１を通過し、シート検知センサ３１がＯＦＦした場合は（Ｓ２０１のＹ）、この後、引き続きシートを距離Ａ［ｍｍ］だけ搬送する。これにより、シートは、横レジ補正開始位置となる搬送ローラ３，４に挟持される位置まで搬送される。
【００５９】
次に、シートを距離Ａ［ｍｍ］だけ搬送すると（２０２のＹ）、既述した図６に示す横レジ補正処理を行い、この後、図８に示すようにシートを距離Ｂ［ｍｍ］だけ搬送する。これにより、シートの後端がシート検知センサ３１を通過してシート検知センサ３１がＯＮになり、この後、シートの後端が穿孔手段５１を通過する。
【００６０】
次に、このようにＢ［ｍｍ］の搬送が終了すると、搬送モータＭ１を停止させ（Ｓ２０５）、この後、図９に示すように搬送モータＭ１の逆転を開始する（Ｓ２０６）。そして、逆転開始位置から穿孔手段５１までの距離Ｃ［ｍｍ］の搬送が終了したか否かを判断する（Ｓ１０７）。
【００６１】
次に、Ｃ［ｍｍ］の搬送が終了したと判断された場合は（Ｓ２０７）、搬送モータＭ１を停止させ（Ｓ２０８）、穿孔手段５１によりパンチ穿孔動作を行う（Ｓ２０９）。そして、このようなパンチ穿孔動作の終了後、操作部３０８からのシートサイズ情報に基づきシートの搬送方向長さが所定の長さである３６４ｍｍより大きいか否かを判断する（Ｓ２１０）。
【００６２】
ここで、シートが、シート搬送方向長さが３６４ｍｍより長いサイズのシートの場合は（Ｓ２１０のＹ）、搬送モータＭ１を所定時間経過した後で起動する（Ｓ２１１）。また、シート搬送方向長さが３６４ｍｍ以下のサイズのシートの場合は（Ｓ２１０のＮ）、搬送モータＭ１をすぐに起動する（Ｓ２１２）。
【００６３】
そして、このようにシート搬送方向長さが３６４ｍｍより長いサイズのシートの場合、搬送モータＭ１を所定時間経過した後で起動することにより、シートの搬送を開始するタイミングを、３６４ｍｍ以下のサイズのシートに比べて遅くすることができる。これにより、バッファローラ５にパンチ穴穿設後のシートを到達させる時間を遅らせることができ、この結果、シートのオフセットが終了した後に、バッファローラ５にパンチ穴穿設後のシートを到達させることができる。なお、このような搬送モータＭ１の起動後、パンチ処理を終了する。
【００６４】
このように、パンチ穴穿設後のシートをオフセットさせる際、搬送ローラ３，４によりパンチ穴穿設後のシートをバッファローラ５に向けて搬送すると共に、シートのオフセットが終了した後、バッファローラ５にパンチ穴穿設後のシートが到達するようシートサイズに応じて搬送ローラ３，４によるシート搬送開始タイミングを制御することにより、シートサイズにかかわらず、生産性を低下させることなく、シートをオフセットさせることができる。
【００６５】
なお、本実施の形態では、３６４ｍｍを基準にシート搬送開始タイミングを切換えたが、バッファローラ５にシート先端が到達するまでにシートの横移動（オフセット）が終了することが可能であれば、生産性を考慮して装置に適した値に設定するようにしても良い。
【図面の簡単な説明】
【００６６】
【図１】本発明の第１の実施の形態に係るシート処理装置を備えた画像形成装置の一例である複写機の概略構成を示す図。
【図２】上記シート処理装置の概略構成を示す図。
【図３】上記複写機とシート処理装置の制御ブロック図。
【図４】上記シート処理装置に設けられたパンチユニットの構成を示す図。
【図５】上記パンチユニットによるパンチ処理を説明する第１のフローチャート。
【図６】上記パンチユニットによるパンチ処理を説明する第２のフローチャート。
【図７】上記パンチユニットによるパンチ処理を説明する第３のフローチャート。
【図８】本発明の第２の実施の形態に係るシート処理装置のパンチ処理を説明する第１のフローチャート。
【図９】上記パンチユニットによるパンチ処理を説明する第２のフローチャート。
【符号の説明】
【００６７】
３，４      搬送ローラ
５          バッファローラ
１          シート処理装置
３１        シート検知センサ
３２        横レジ検知センサ
４２        搬送ガイド
５０        パンチユニット
５１        穿孔手段
１００      複写機
３０５      ＣＰＵ回路部
５０１      シート処理装置制御部
Ｍ１        搬送モータ
Ｍ２        搬送ローラ移動モータ
Ｍ３        横レジ検知移動モータ
Ｐ          シート
Ｒ          シート搬送通路
【図１】
2007076775.tif 000003
【図２】
2007076775.tif 000004
【図３】
2007076775.tif 000005
【図４】
2007076775.tif 000006
【図５】
2007076775.tif 000007
【図６】
2007076775.tif 000008
【図７】
2007076775.tif 000009
【図８】
2007076775.tif 000010
【図９】
2007076775.tif 000011